(57)【要約】      （修正有）【課題】小型かつ簡易な構成で、球面収差の補正が可能な、複数種類の光ディスク対応の光ピックアップを実現する。【解決手段】光ディスク１００への往路光としての第１及び第２の光ビームの光路を対応する第１の対物レンズ５１及び第２の対物レンズ５２に向かう光路に分離する光路分離と、異なる光路で第１の対物レンズ５１及び第２の対物レンズ５２から入射する復路光としての第１及び第２の反射光ビームの光路を合成する光路合成と、往路光と復路光の光路を分離する往復光路分離とを光束分離合成手段４４で行うとともに、第１のコリメータレンズ４５及び第２のコリメータレンズ４４を、対応する第１の対物レンズ５１及び第２の対物レンズ５２と光束分離合成手段４４との間に設けた。【選択図】図４
2008059668.tif 000002
【特許請求の範囲】
【請求項１】
共通の光路で入射する第１の光ビーム及び第２の光ビームを、それぞれが対応する第１の対物レンズ及び第２の対物レンズに向かう光路に分離するとともに、上記第１の光ビーム及び第２の光ビームがそれぞれ光ディスクで反射されてなる第１の反射光ビーム及び第２の反射光ビームの光路を合成し、上記第１の光ビーム及び第２の光ビームの光路とは異なる光路で受光素子に向けて出射する光束分離合成手段と、
上記光束分離合成手段と上記第１の対物レンズとの間に設けられた第１のコリメータレンズと、
上記光束分離合成手段と上記第２の対物レンズとの間に設けられた第２のコリメータレンズと
を具えることを特徴とする光ピックアップ。
【請求項２】
上記光束分離合成手段は、発散光でなる上記第１の光ビーム及び第２の光ビームの光路上に設けられる
ことを特徴とする請求項１に記載の光ピックアップ。
【請求項３】
上記第１のコリメータレンズ及び上記第２のコリメータレンズの少なくとも一方を光軸方向に駆動する駆動手段
を具えることを特徴とする請求項１に記載の光ピックアップ。
【請求項４】
上記第１の対物レンズの焦点距離をＦobj1とし、上記第２の対物レンズの焦点距離をＦobj2とし、上記第１のコリメータレンズの焦点距離をＦcol1とし、上記第２のコリメータレンズの焦点距離をＦcol2としたときに、次式
Ｆcol2＜Ｆcol1＊Ｆobj2／Ｆobj1
の関係を満たす
ことを特徴とする請求項１に記載の光ピックアップ。
【請求項５】
共通の光路で入射する第１の光ビーム及び第２の光ビームを、それぞれが対応する第１の対物レンズ及び第２の対物レンズに向かう光路に分離するとともに、上記第１の光ビーム及び第２の光ビームがそれぞれ光ディスクで反射されてなる第１の反射光ビーム及び第２の反射光ビームの光路を合成し、上記第１の光ビーム及び第２の光ビームの光路とは異なる光路で受光素子に向けて出射する光束分離合成手段と、
上記光束分離合成手段と上記第１の対物レンズとの間に設けられた第１のコリメータレンズと、
上記光束分離合成手段と上記第２の対物レンズとの間に設けられた第２のコリメータレンズと
を具える光ピックアップを用いた光ディスク装置。
【発明の詳細な説明】
【技術分野】
【０００１】
本発明は、光ディスク装置の光ピックアップに適用して好適なものである。
【背景技術】
【０００２】
従来、ＣＤ（Compact Disc）やＤＶＤ（Digital Versatile Disc）等の赤色レーザ光を用いる光ディスクが広く普及しているが、さらなる記録密度の向上及び大容量化の要求に応えるため、波長４０５[nm]の青色レーザ光を用いるブルーレイディスク（登録商標）などの次世代光ディスクが登場している。これに伴い、ＣＤ、ＤＶＤ及びブルーレイディスク（以下、ＢＤとも呼ぶ）の３種類のディスクを使用し得るようになされた光ディスク装置が開発されている。
【０００３】
このような光ディスク装置で用いられる複数種類ディスク対応の光ピックアップにおいて、ＣＤ、ＤＶＤ及びＢＤにそれぞれ対応する３種の波長のレーザ光を、共通の光学系を用いて対物レンズに照射するよう構成した場合、ＣＤ、ＤＶＤ及びＢＤに対しそれぞれのフォーマットに応じた最適な光学倍率を実現し得なくなる。
【０００４】
このため、２系統の相異なる焦点距離を持つコリメータレンズ及び対物レンズを備えた光学系を有する光ピックアップが提案されている（例えば、特許文献１参照）。
【０００５】
図１はこのような構成の光ピックアップ１を示し、波長４０５ｎｍのレーザ光及び波長６６０ｎｍのレーザ光をそれぞれＢＤ用光ビーム及びＤＶＤ用光ビームとして出射する２波長レーザダイオード２と、波長７８０ｎｍのレーザ光をＣＤ用光ビームとして出射する１波長レーザダイオード３とを有するとともに、ＢＤ用光ビームを収束して光ディスク１００に照射するＢＤ用対物レンズ１２と、ＤＶＤ用光ビーム及びＣＤ用光ビームを収束して光ディスク１００に照射するＤＶＤ／ＣＤ用対物レンズ１３とを有している。
【０００６】
第１のコリメータレンズ４は、２波長レーザダイオード２から出射されたＢＤ用光ビーム又はＤＶＤ用光ビームを平行光に変換して第１のビームスプリッタ６に入射する。一方、第２のコリメータレンズ５は、１波長レーザダイオード３から出射されたＣＤ用光ビームを平行光に変換して第１のビームスプリッタ６に入射する。
【０００７】
第１のビームスプリッタ６は、ＢＤ用光ビーム又はＤＶＤ用光ビームをその波長に応じて直角に反射するとともに、ＣＤ用光ビームをその波長に応じて透過し、これらを偏光ビームスプリッタ７に入射する。偏光ビームスプリッタ７は、ＢＤ用、ＤＶＤ用及びＣＤ用光ビームをその偏光方向に応じて透過し、これらを第２のビームスプリッタ８に入射する。
【０００８】
第２のビームスプリッタ８は、ＢＤ用光ビームをその波長に応じて直角に反射し、１／４波長板１０を介してＢＤ用対物レンズ１２に入射するとともに、ＤＶＤ用及びＣＤ用光ビームをその波長に応じて透過し、立上ミラー９及び１／４波長板１１を介してＤＶＤ／ＣＤ用対物レンズ１３に入射する。
【０００９】
ＢＤ用対物レンズ１２は、ＢＤ用光ビームを集光して光ディスク１００の記録面に照射するとともに、当該記録面で反射されたＢＤ反射光ビームを受光し、１／４波長板１０及び第２のビームスプリッタ８を介して偏光ビームスプリッタ７に入射する。一方ＤＶＤ／ＣＤ用対物レンズ１３は、ＤＶＤ用光ビーム又はＣＤ用光ビームを集光して光ディスク１００の記録面に照射するとともに、当該記録面で反射されたＤＶＤ反射光ビーム又はＣＤ反射光ビームを受光し、１／４波長板１１、立上ミラー９及び第２のビームスプリッタ８を介して偏光ビームスプリッタ７に入射する。
【００１０】
偏光ビームスプリッタ７は、ＢＤ反射光ビーム、ＤＶＤ反射光ビーム及びＣＤ反射光ビームをその偏光方向に応じて反射し、調整レンズ１４に入射する。そして調整レンズ１４は、ＢＤ反射光ビーム、ＤＶＤ反射光ビーム及びＣＤ反射光ビームを集光して受光素子１５に集光する。
【００１１】
一方、図１との対応部分に共通符号を付して示す図２は、他の構成の光ピックアップ２０を示す。
【００１２】
この光ピックアップ２０は、図２に示した光ピックアップ１とは異なり、ＢＤ用、ＤＶＤ用及びＣＤ用光ビームに対して共用するコリメータレンズ２５を有している。
【００１３】
光ピックアップ２０の第１の偏光ビームスプリッタ２１は、２波長レーザダイオード２から出射されたＢＤ用光ビーム又はＤＶＤ用光ビームを直角に反射し、第２の偏光ビームスプリッタ２２に入射する。一方、ハーフミラー２３は、１波長レーザダイオード３から出射されたＣＤ用光ビームを反射し、第１の偏光ビームスプリッタ２１を介して第２の偏光ビームスプリッタ２２に入射する。
【００１４】
第２の偏光ビームスプリッタ２２は、ＢＤ用光ビーム、ＤＶＤ用光ビーム及びＣＤ用光ビームの一部を反射してレーザパワーモニタ用の受光素子２４に照射するとともに、残りを透過してコリメータレンズ２５に入射する。
【００１５】
コリメータレンズ２５は、入射したＢＤ用光ビーム、ＤＶＤ用光ビーム又はＣＤ用光ビームを平行光に変換し、ビームスプリッタ８に入射する。
【００１６】
ビームスプリッタ８は、ＢＤ用光ビームをその波長に応じて直角に反射してＢＤ用対物レンズ１２に入射するとともに、ＤＶＤ用及びＣＤ用光ビームをその波長に応じて透過し、立上ミラー９を介してＤＶＤ／ＣＤ用対物レンズ１３に入射する。
【００１７】
ＢＤ用対物レンズ１２は、ＢＤ用光ビームを集光して光ディスク１００の記録面に照射するとともに、当該記録面で反射されたＢＤ反射光ビームを受光し、ビームスプリッタ８を介してコリメータレンズ２５に入射する。一方ＤＶＤ／ＣＤ用対物レンズ１３は、ＤＶＤ用光ビーム及びＣＤ用光ビームを集光して光ディスク１００の記録面に照射するとともに、当該記録面で反射されたＤＶＤ反射光ビーム及びＣＤ反射光ビームを受光し、立上ミラー９及びビームスプリッタ８を介してコリメータレンズ２５に入射する。
【００１８】
コリメータレンズ２５は、ＢＤ反射光ビーム、ＤＶＤ反射光ビーム及びＣＤ反射光ビームを収束光に変換して第２の偏光ビームスプリッタ２２に入射する。第２の偏光ビームスプリッタ２２はＢＤ反射光ビームを反射し、調整レンズ１４を介してＢＤ用の受光素子２６に照射する。また第２の偏光ビームスプリッタ２２は、ＤＶＤ反射光ビーム及びＣＤ反射光ビームを透過し、第１の偏光ビームスプリッタ２１及びハーフミラー２２を介してＤＶＤ及びＣＤ用の受光素子２７に照射する。
【００１９】
ここでコリメータレンズ２５は、モータ２８によって光軸方向に往復駆動されるレンズホルダ２９に取り付けられており、これによりこの光ピックアップ２０は、ＢＤ及びＤＶＤに対する球面収差を、当該コリメータレンズ２５を光軸方向に移動して補正するようになされている。
【特許文献１】特開２００６−２４３３３公報
【発明の開示】
【発明が解決しようとする課題】
【００２０】
しかしながら、図１に示した光ピックアップ１の構成では、２波長レーザダイオード２と、往復の光路を分離する往復光路分離手段としての偏光ビームスプリッタ７との間にコリメータレンズ４が配置されているため、球面収差の補正のために当該コリメータレンズ４を光軸方向に移動すると、受光素子上における反射光ビームの集光状態が変化してしまい、これにより、コリメータレンズ４を移動して収差補正をすることができないという問題を有している。
【００２１】
また、図２で示した光ピックアップ２０の構成では、往復光路分離手段としての第２の偏光ビームスプリッタ２２と、２つの対物レンズ８及び９への光ビームを分離する光束分離手段としてのビームスプリッタ１２との間にコリメータレンズ２５が設けたことにより、当該コリメータレンズ２５を光軸方向に移動して球面収差を補正できるものの、第２の偏光ビームスプリッタ２２とビームスプリッタ８との間にコリメータレンズ２５が位置することから、当該第２の偏光ビームスプリッタ２２とビームスプリッタ８とを一体化できず、光ピックアップ２０全体を小型化及び簡易化し得ないという問題があった。
【００２２】
本発明は以上の点を考慮してなされたもので、小型かつ簡易な構成で、球面収差の補正が可能な、複数種類の光ディスク対応の光ピックアップ及び当該光ピックアップを用いた光ディスク装置を提案しようとするものである。
【課題を解決するための手段】
【００２３】
かかる課題を解決するため本発明においては、共通の光路で入射する第１の光ビーム及び第２の光ビームを、それぞれが対応する第１の対物レンズ及び第２の対物レンズに向かう光路に分離するとともに、第１の光ビーム及び第２の光ビームがそれぞれ光ディスクで反射されてなる第１の反射光ビーム及び第２の反射光ビームの光路を合成し、第１の光ビーム及び第２の光ビームの光路とは異なる光路で受光素子に向けて出射する光束分離合成手段と、光束分離合成手段と第１の対物レンズとの間に設けられた第１のコリメータレンズと、光束分離合成手段と第２の対物レンズとの間に設けられた第２のコリメータレンズとを光ピックアップに設けた。
【００２４】
これにより、光ディスクへの往路光としての第１及び第２の光ビームの光路を対応する第１の対物レンズ及び第２の対物レンズに向かう光路に分離する光路分離と、異なる光路で第１及び第２の対物レンズから入射する復路光としての第１及び第２の反射光ビームの光路を合成する光路合成と、往路光と復路光の光路を分離する往復光路分離とを光束分離合成手段で行うことができ、さらに、第１及び第２のコリメータレンズを、対応する第１及び第２の対物レンズと光束分離合成手段との間に設けたことにより、当該第１及び第２のコリメータレンズを往路光及び復路光の光路に位置させることができるため、当該コリメータレンズを光軸方向に移動して収差補正を行うことができる。
【発明の効果】
【００２５】
本発明によれば、共通の光路で入射する第１の光ビーム及び第２の光ビームを、それぞれが対応する第１の対物レンズ及び第２の対物レンズに向かう光路に分離するとともに、第１の光ビーム及び第２の光ビームがそれぞれ光ディスクで反射されてなる第１の反射光ビーム及び第２の反射光ビームの光路を合成し、第１の光ビーム及び第２の光ビームの光路とは異なる光路で受光素子に向けて出射する光束分離合成手段と、光束分離合成手段と第１の対物レンズとの間に設けられた第１のコリメータレンズと、光束分離合成手段と第２の対物レンズとの間に設けられた第２のコリメータレンズとを光ピックアップに設けたことにより、光ディスクへの往路光としての第１及び第２の光ビームの光路を対応する第１の対物レンズ及び第２の対物レンズに向かう光路に分離する光路分離と、異なる光路で第１及び第２の対物レンズから入射する復路光としての第１及び第２の反射光ビームの光路を合成する光路合成と、往路光と復路光の光路を分離する往復光路分離とを光束分離合成手段で行うことができ、さらに、第１及び第２のコリメータレンズを、対応する第１及び第２の対物レンズと光束分離合成手段との間に設けたことにより、当該第１及び第２のコリメータレンズを往路光及び復路光の光路に位置させることができるため、当該コリメータレンズを光軸方向に移動して収差補正を行うことができ、かくして、小型かつ簡易な構成で、球面収差の補正が可能な光ピックアップ及び当該光ピックアップを用いた光ディスク装置を実現できる。
【発明を実施するための最良の形態】
【００２６】
以下図面について、本発明の一実施の形態を詳述する。
【００２７】
（１）光ディスク装置の全体構成
図３において、３０は本発明を適用した光ディスク装置を示し、制御部３１によって全体を統括制御するようになされている。そして光ディスク装置３０は、光ディスク１００が装填された状態において図示しない外部機器からの再生指示等を受け付けると、当該制御部３１から駆動部３２及び信号処理部３３を制御することにより、光ディスク１００に記録された情報を読み出すようになされている。
【００２８】
実際上、駆動部３２は、制御部３１の制御に基づき、スピンドルモータ３４により光ディスク１００を所望の回転速度で回転させ、スレッドモータ３５により光ピックアップ４０を光ディスク１００の径方向であるトラッキング方向へ大きく移動させ、さらにレンズアクチュエータ３６により対物レンズを光ディスク１００に対して近接又は離隔させる方向であるフォーカス方向及びトラッキング方向の２方向へそれぞれ細かく移動させる。
【００２９】
これと並行して信号処理部３３は、装着されている光ディスク１００の種別に応じた波長の光ビームを、光ピックアップ４０の対物レンズから光ディスク１００の所望トラックに対して照射させ、その反射光の検出結果を基に再生信号を生成し、制御部３１を介してこの再生信号を図示しない外部機器等へ送出する。
【００３０】
（２）光ピックアップの構成
次に、本発明による光ピックアップ４０の構成を図４を用いて説明する。この光ピックアップ４０は、Ｓ偏光でなる波長４０５ｎｍのレーザ光をＢＤ用光ビームとして出射する１波長レーザダイオード４１と、Ｐ偏光でなる波長６６０ｎｍのレーザ光及び波長７８０ｎｍのレーザ光をそれぞれＤＶＤ用光ビーム及びＣＤ用光ビームとして出射する２波長レーザダイオード４２とを有するとともに、ＢＤ用光ビームを収束して光ディスク１００に照射するＢＤ用対物レンズ５１と、ＤＶＤ用光ビーム及びＣＤ用光ビームを収束して光ディスク１００に照射するＤＶＤ／ＣＤ用対物レンズ５２とを有している。
【００３１】
まず、ＢＤ用の光ビームの光路について説明する。光束分離合成手段としての光束合成プリズム４３の反射膜４３Ａは、ＢＤ用光ビームを反射するとともにＤＶＤ用光ビーム及びＣＤ用光ビームを透過するように光学特性が選定されている。このため光束合成プリズム４３は、１波長レーザダイオード４１から出射されたＳ偏光でなるＢＤ用光ビームを、その波長に応じて反射膜４３Ａで反射して光束分離プリズム４４に入射する。
【００３２】
光束分離プリズム４４の反射膜４４Ａは、Ｓ偏光の光ビームを反射するとともにＰ偏光の光ビームを透過するように光学特性が選定されている。このため光束分離プリズム４４は、Ｓ偏光でなるＢＤ用光ビームをその偏光方向に応じて反射膜４４Ａで反射し、さらに反射面４４Ｂを介してＢＤ用コリメータレンズ４５に入射する。
【００３３】
ＢＤ用コリメータレンズ４５は、ＢＤ用光ビームを平行光に変換し、さらに１／４波長板４６によってＳ偏光から円偏光に変換してＢＤ用対物レンズ５１に入射する。そしてＢＤ用対物レンズ５１は、ＢＤ用光ビームを収束して光ディスク１００の記録面に照射するとともに、当該記録面で反射されてなるＢＤ反射光ビームを受光して平行光に変換し、１／４波長板４６を介してＢＤ用コリメータレンズ４５に入射する。
【００３４】
ＢＤ用コリメータレンズ４５は、１／４波長板４６を通過することによって円偏光からＰ偏光になったＢＤ反射光ビームを、収束光に変換して光束分離プリズム４４に入射する。上述したように光束分離プリズム４４の反射膜４４Ａは、Ｓ偏光の光ビームを反射するとともにＰ偏光の光ビームを透過することから、当該光束分離プリズム４４の反射膜４４ＡはＰ偏光でなるＢＤ反射光ビームを透過し、さらにシリンドリカルレンズ４９によって受光素子５０に集光し、当該受光素子５０によって各種信号が生成される。
【００３５】
次に、ＤＶＤ及びＣＤ用の光ビームの光路について説明する。上述したように光束合成プリズム４３の反射膜４３Ａは、ＢＤ用光ビームを反射するとともにＤＶＤ用光ビーム及びＣＤ用光ビームを透過するように光学特性が選定されているため、２波長レーザダイオード４２から出射されたＰ偏光でなるＤＶＤ又はＣＤ用光ビームを、その偏光方向に応じて透過して光束分離プリズム４４に入射する。
【００３６】
光束分離プリズム４４の反射膜４４Ａは、Ｓ偏光の光ビームを反射するとともにＰ偏光の光ビームを透過するように光学特性が選定されているため、Ｐ偏光でなるＤＶＤ又はＣＤ用光ビームをその偏光方向に応じて透過し、ＤＶＤ／ＣＤ用コリメータレンズ４７に入射する。
【００３７】
ＤＶＤ／ＣＤ用コリメータレンズ４７は、ＤＶＤ又はＣＤ用光ビームを平行光に変換し、さらに１／４波長板４８によってＰ偏光から円偏光に変換してＤＶＤ／ＣＤ用対物レンズ５２に入射する。そしてＤＶＤ／ＣＤ用対物レンズ５２は、ＤＶＤ又はＣＤ用光ビームを収束して光ディスク１００の記録面に照射するとともに、当該記録面で反射されてなるＤＶＤ又はＣＤ反射光ビームを受光して平行光に変換し、１／４波長板４８を介してＤＶＤ／ＣＤ用コリメータレンズ４７に入射する。
【００３８】
ＤＶＤ／ＣＤ用コリメータレンズ４７は、１／４波長板４８を通過することによって円偏光からＳ偏光になったＤＶＤ又はＣＤ反射光ビームを、収束光に変換して光束分離プリズム４４に入射する。光束分離プリズム４４の反射膜４４Ａは、Ｓ偏光でなるＤＶＤ又はＣＤ反射光ビームを反射し、さらにシリンドリカルレンズ４９によって受光素子５０に集光し、当該受光素子５０によって各種信号が生成される。
【００３９】
ここで、ＢＤ用コリメータレンズ４５及びＤＶＤ／ＣＤ用コリメータレンズ４７は、図示しないアクチュエータによって光軸方向に往復駆動されるレンズホルダ５２に取り付けられており、制御部３１（図３）は、カバー層の厚さ等に応じて変化する球面収差を、ＢＤ用コリメータレンズ４５及びＤＶＤ／ＣＤ用コリメータレンズ４７を光軸方向に移動させることにより発生する球面収差で相殺する。
【００４０】
（３）動作及び効果
以上の構成において本発明の光ピックアップ４０は、光束分離プリズム４４によって、同一の光路で入射するＢＤ用光ビームとＤＶＤ及びＣＤ用光ビームとを、それぞれ対応する対物レンズへの光路に分離するとともに、当該対応する対物レンズから異なる光路で入射するＢＤ反射光ビームとＤＶＤ及びＣＤ反射光ビームの光路を合成し、ＢＤ用光ビーム、ＤＶＤ及びＣＤ用光ビームとは異なる方向に出射して受光素子５０へと入射させる。
【００４１】
このように、光ピックアップ４０の光束分離プリズム４４は、同一光路で入射するＢＤ用光ビームとＤＶＤ及びＣＤ用光ビームの光路を対応する対物レンズへ分離する光路分離機能を有しているとともに、異なる光路で対物レンズから入射するＢＤ反射光ビームとＤＶＤ及びＣＤ反射光ビームの光路を合成する光路合成機能を有し、さらに、光ディスクからの復路光としてのＢＤ、ＤＶＤ及びＣＤ反射光ビームの光路と光ディスクへの往路光としてのＢＤ、ＤＶＤ及びＣＤ用光ビームの光路とを分離する往復光路分離機能を有している。
【００４２】
これにより本発明の光ピックアップ４０は、反射光ビームを受光して検出信号を生成するために必須となる往復光路分離機能と、光ビームの種類に応じた複数の対物レンズを用いる場合に必須となる光路分離及び光路合成機能を、単一の光束分離プリズム４４で実現することができる。
【００４３】
これに加えて本発明の光ピックアップ４０は、ＢＤ用コリメータレンズ４５及びＤＶＤ／ＣＤ用コリメータレンズ４７を、それぞれ光束分離プリズム４４とＢＤ用対物レンズ５１及びＤＶＤ／ＣＤ用対物レンズ５２との間に配置した。これにより、当該コリメータレンズ４５及び４７が往路光（ＢＤ、ＤＶＤ及びＣＤ用光ビーム）及び復路光（ＢＤ、ＤＶＤ及びＣＤ反射光ビーム）双方の光路内に位置することから、収差補正のために当該コリメータレンズ４５及び４７を光軸方向に移動させても、受光素子５０上における反射光ビームの集光状態を良好に保つことができる。
【００４４】
ここで、ＢＤ用コリメータレンズ４５及びＤＶＤ／ＣＤ用コリメータレンズ４７の焦点距離について説明する。一般に、光ディスク装置の対物レンズの開口数は、ＢＤ用で０．８５程度、ＤＶＤ用で０．６５程度、ＣＤ用で０．５１程度に設定されているため、光ビームの光量確保と結像性能確保の関係から、各光学系の往路倍率はＢＤ用で１／１２〜１／９、ＤＶＤ用で１／７〜１／５、ＣＤ用で１／４．５〜１／３．５程度に設定されている例が多い。
【００４５】
従って、ＢＤ用の光学系に比べてＤＶＤ及びＣＤ用の光学系の往路倍率は大きくする必要があるが、本発明による光ピックアップ４０では、ＢＤ用のコリメータレンズ４５及び対物レンズ５１と、ＤＶＤ及びＣＤ用のコリメータレンズ４７及び対物レンズ５２とを独立して設けていることにより、各光学系の往路倍率を適切に設定することが可能となっている。
【００４６】
具体的には、ＢＤ用対物レンズ５１の焦点距離をＦobj1、ＤＶＤ／ＣＤ用対物レンズ５２の焦点距離をＦobj2、ＢＤ用コリメータレンズ４５の焦点距離をＦcol1、ＤＶＤ／ＣＤ用コリメータレンズ４７の焦点距離をＦcol2としたときに、次式
【００４７】
Ｆcol2＜Ｆcol1＊Ｆobj2／Ｆobj1                    ……（１）
【００４８】
を満たすようにＤＶＤ／ＣＤ用コリメータレンズ４７の焦点距離Ｆcol2を設計することで、各光学系に適した往路倍率を実現できる。対物レンズの焦点距離及びコリメータレンズの焦点距離の組み合わせの一例を図５に示す。
【００４９】
以上の構成によれば、往路光の光路を対応する対物レンズへ分離する光路分離機能と、異なる光路で対物レンズから入射する復路光の光路を合成する光路合成機能と、復路光と往路光の光路を分離する往復光路分離機能とを有する光束分離プリズム４４を設けることにより、光ピックアップ４０全体を小型化及び簡素化できるとともに、コリメータレンズ４５及び４７を、光束分離プリズム４４と対物レンズ５１及び５２との間に設けたことにより、当該コリメータレンズ４５及び４７を往路及び復路双方の光路内に位置させ、当該コリメータレンズ４５及び４７を光軸方向に移動して収差補正を行うことができる。
【００５０】
（４）他の実施の形態
なお、上述の実施の形態においては、ＢＤ用光ビームを１波長レーザダイオード４１から出射するとともに、ＤＶＤ用光ビーム及びＣＤ用光ビームを２波長レーザダイオード４２から出射するようにしたが、本発明はこれに限らず、ＢＤ用光ビーム、ＤＶＤ用光ビーム及びＣＤ用光ビームを共通の３波長レーザダイオードから出射するようにしてもよい。
【００５１】
さらには、ＢＤ用光ビーム、ＤＶＤ用光ビーム及びＣＤ用光ビームをそれぞれ個別のレーザダイオードから出射するようにしても良い。すなわち、図４との対応部分に同一符号を付して示す図６は、このような構成の光ピックアップ６０を示し、Ｓ偏光でなる波長４０５ｎｍのレーザ光をＢＤ用光ビームとして出射するＢＤ用レーザダイオード４１と、Ｐ偏光でなる波長６６０ｎｍのレーザ光をＤＶＤ用光ビームとして出射するＤＶＤ用レーザダイオード６１と、波長７８０ｎｍのレーザ光をＣＤ用光ビームとして出射するＣＤ用レーザダイオード６２とを有している。
【００５２】
光束合成プリズム６３の反射膜６３Ａは、波長６６０ｎｍのＤＶＤ用光ビームを反射するとともに波長７８０ｎｍのＣＤ用光ビームを透過する波長選択性を有している。
【００５３】
これにより光束合成プリズム６３は、ＣＤ用レーザダイオード６２から入射したＣＤ用光ビームをそのまま透過して反射膜６３Ｂに入射させるとともに、ＤＶＤ用レーザダイオード６１から入射したＤＶＤ用光ビームを反射し、ＣＤ用光ビームと同一の光路で反射膜６３Ｂに入射させる。
【００５４】
光束合成プリズム６３の反射膜６３Ｂは、図４に示した光束合成プリズム４３の反射膜４３Ａ同様、ＢＤ用光ビームを反射するとともにＤＶＤ用光ビーム及びＣＤ用光ビームを透過するように光学特性が選定されており、かくしてＢＤ用光ビーム、ＤＶＤ用光ビーム及びＣＤ用光ビームを、共通の光路で光束分離プリズム４４に入射する。
【００５５】
また光ピックアップ６０には、ＣＤ用光ビームの光路中にカップリングレンズ６４が設置されている。このカップリングレンズ６４は、倍率変換機能を備えているため、ＣＤ用光ビームに対する往路倍率をＤＶＤ用光ビームに対する往路倍率と独立に設定することができる。これにより光ピックアップ６０では、各光学系の（すなわちＢＤ、ＤＶＤ及びＣＤ用光ビームに対する）往路倍率をそれぞれ最適に設定することができる。
【００５６】
さらに上述の実施の形態においては、光束分離プリズム４４の反射膜４４Ａについては、Ｓ偏光の光ビームを反射するとともにＰ偏光の光ビームを透過するように光学特性を選定し、光束合成プリズム４３の反射膜４３Ａ及び光束合成プリズム６３の反射膜６３Ｂについては、ＢＤ用光ビームを反射するとともにＤＶＤ用光ビーム及びＣＤ用光ビームを透過するように光学特性を選定したが、本発明はこれに限らず、波長選択性と偏光選択性の双方を反射膜４４Ａ、４３Ａ及び６３Ｂに持たせるようにしてもよい。
【００５７】
さらに上述の実施の形態においては、ＢＤ用コリメータレンズ４５及びＤＶＤ／ＣＤ用コリメータレンズ４７をレンズホルダ５２に取り付けて、当該ＢＤ用コリメータレンズ４５及びＤＶＤ／ＣＤ用コリメータレンズ４７の双方を光軸方向に移動して収差補正を行うようにしたが、本発明はこれに限らず、ＢＤ用コリメータレンズ４５又はＤＶＤ／ＣＤ用コリメータレンズ４７の一方のみを光軸方向に移動して収差補正を行うようにしてもよく、要は、収差補正が必要となる光学系のコリメータレンズのみを光軸方向に移動して収差補正を行うようにしてもよい。
【００５８】
さらに上述の実施の形態においては、ＢＤ、ＤＶＤ及びＣＤの３種類の光ディスクに対応した光ピックアップに本発明を適用した場合について述べたが、本発明はこれに限らず、例えばＢＤ及びＤＶＤの２種類の光ディスクに対応した光ピックアップや、ＢＤ、ＤＶＤ、ＣＤ及びＨＤ−ＤＶＤの４種類の光ディスクに対応した光ピックアップなど、複数の対物レンズを有し複数種類の光ディスクに対応した種々の光ピックアップに本発明を適用することができる。
【００５９】
さらに上述の実施の形態においては、ＢＤ用光ビームを専用のＢＤ用対物レンズ５１で収束して光ディスク１００に照射するとともに、ＤＶＤ用光ビーム及びＣＤ用光ビームを共用のＤＶＤ／ＣＤ用対物レンズ５２で収束して光ディスク１００に照射するようにしたが、本発明はこれに限らず、ＨＤ−ＤＶＤに対応した光ピックアップの一例として、ＢＤ用光ビームを専用の対物レンズで収束するとともにＤＶＤ用光ビーム、ＣＤ用光ビーム及びＨＤ−ＤＶＤ用光ビームを共通の対物レンズで収束するようにしても良い。
【００６０】
さらに上述した実施の形態においては、光ディスク装置３０の光ピックアップ４０に本発明を適用した場合について述べたが、これに限らず、他の種々の光ピックアップ４０に本発明を適用しても良い。すなわち、光ピックアップ４０は光ディスク装置３０に組み込まれるもの以外でも良い。
【産業上の利用可能性】
【００６１】
本発明は、複数種類の光ディスクに対応した種々の光ピックアップで利用できる。
【図面の簡単な説明】
【００６２】
【図１】従来の光ピックアップの構成を示す略線図である。
【図２】従来の光ピックアップの構成を示す略線図である。
【図３】光ディスク装置の全体構成を示すブロック図である。
【図４】本発明の光ピックアップの構成を示す略線図である。
【図５】焦点距離と倍率の関係を示す表である。
【図６】本発明の光ピックアップの構成を示す略線図である。
【符号の説明】
【００６３】
１、４０、６０……光ピックアップ、３０……光ディスク装置、３１……制御部、３２……駆動部、３３……信号処理部、３４……スピンドルモータ、３５……スレッドモータ、３６……アクチュエータ、４１……１波長レーザダイオード、４２……２波長レーザダイオード、４３、６３……光束合成プリズム、４４……光束分離プリズム、４５……ＢＤ用コリメータレンズ、４６……１／４波長板、４７……ＤＶＤ／ＣＤ用コリメータレンズ、４８……１／４波長板、４９……シリンドリカルレンズ、５０……受光素子５０、５１……ＢＤ用対物レンズ、５２……ＤＶＤ／ＣＤ用対物レンズ、６１……ＤＶＤ用レーザダイオード、６２……ＣＤ用レーザダイオード、６４……カップリングレンズ。
【図１】
2008059668.tif 000003
【図２】
2008059668.tif 000004
【図３】
2008059668.tif 000005
【図４】
2008059668.tif 000006
【図５】
2008059668.tif 000007
【図６】
2008059668.tif 000008